(57)【要約】【課題】車輪および引き手を備えたバッグ類の転倒を防止することができ、しかも操作が容易な引き手付きバッグを提供する。【解決手段】バッグ本体１１の下端に一対の車輪１２を回転自在に設け、バッグ本体１１の背面に伸縮自在の引き手装置１３を設けた引き手付きゴルフバッグ１０。引き手装置１３は、バッグ本体１１にガイドパイプ２１を取り付け、そのガイドパイプに対し、引き手杆２２を摺動自在に、かつ押し下げた状態でその下端が車輪１２の下端と同程度の高さに突出するように設け、さらに押し下げた状態に拘束するロック機構を設け、ロックを解除するように操作する押しボタン３５を引き手杆２２の上端のグリップ２７に設けて構成する。【選択図】  図１
2004223093.tif 000002
【特許請求の範囲】
【請求項１】
バッグ本体と、そのバッグ本体の下端に回転自在に設けられる車輪と、バッグ本体に取り付けられる伸縮自在の引き手装置とを有し、
その引き手装置が、バッグ本体に固定される支持部と、その支持部によって、上下に摺動自在に支持される引き手杆と、その引き手杆を、その下端が車輪の下端と同程度の高さに突出するように押し下げた状態で、上下に移動しないようにロックするロック手段およびそのロックを解除するロック解除手段とを備えている、引き手付きバッグ。
【請求項２】
前記ロック解除手段が引き手杆の上端に操作部を備えている請求項１記載の引き手付きバッグ。
【請求項３】
上下に開口するガイドパイプと、そのガイドパイプ内に摺動自在に収納されるパイプ状の引き手杆と、その引き手杆の内部に所定の範囲で上下に移動自在に設けられる操作杆とを有し、
前記引き手杆に、前記操作杆が軸方向に操作されたときに引き手杆の側面から突出する係合突起と、その係合突起を突出する方向に付勢する付勢手段とが設けられており、
前記ガイドパイプに、前記引き手杆の下端がガイドパイプの下端から突出した状態で前記係合突起と係合する係合部が設けられている、
ストッパ兼用引き手装置。
【請求項４】
前記操作杆の上端が引き手杆の上端の握り部の位置で操作できるように構成されている請求項３記載のストッパ兼用引き手装置。
【発明の詳細な説明】
【０００１】
【発明の属する技術分野】
本発明は引き手付きバッグおよびそれに好適に用いられるストッパ兼用引き手装置に関する。
【０００２】
【従来の技術】
旅行用バッグなどには、たとえば図９ａに示すように、下端の端部に車輪１０１を設け、背面に伸縮自在の引き手１０２を備えたものがある。このような引き手付きバッグ（キャリーバッグ）１００では、引き手１０２を引き出してバッグ本体１０３を斜めにしながら軽快に引っ張ることができる。また、車輪１０１の下端はバッグ本体１０３の底面１０４と同程度か、それよりもわずかに上側としている。それによりバッグ本体１０３の底面で地面１０５や床面などに安定して載置しておくことができる。
【０００３】
【発明が解決しようとする課題】
このような引き手付きのバッグでは、矢印Ｐで示すように車輪側への力が加わると、車輪１０１を中心として回転し、倒れる危険性がある。とくに図９ｂのように背が高く不安定なゴルフバッグ（キャディバッグ）１０６に応用しようとする場合は、ゴルフクラブの重量が重いこともあって、矢印Ｐ方向に一旦倒れかかり、底面が地面から離れてしまうと、手で止めることは困難で、かえって危険である。また、このような危険性を少なくするため、車輪１０１にブレーキを設けたり、バッグ本体１０３に伸縮式の脚を設けることも考えられるが、操作が厄介である。
【０００４】
本発明はこのような問題を解消するものであり、車輪および引き手を備えたバッグ類の転倒を防止することができ、しかも操作が容易な引き手付きバッグを提供することを技術課題としている。さらに本発明は、この引き手付きバッグに用いる構造が簡単で操作しやすいストッパ兼用引き手装置を提供することを第２の課題としている。
【０００５】
【課題を解決するための手段】
本発明の引き手付きバッグ（請求項１）は、バッグ本体と、そのバッグ本体の下端に回転自在に設けられる車輪と、バッグ本体に取り付けられる伸縮自在の引き手装置とを有し、その引き手装置が、バッグ本体に固定される支持部と、その支持部によって上下に摺動自在に支持される引き手杆と、その引き手杆を、その下端が車輪の下端と同程度の高さに突出するように押し下げた状態で、上下に移動しないようにロックするロック手段およびそのロックを解除するロック解除手段とを備えていることを特徴としている。
【０００６】
このような引き手付きバッグにおいては、前記ロック解除手段が引き手杆の上端に操作部を備えているものが好ましい（請求項２）。
【０００７】
本発明のストッパ兼用引き手装置（請求項３）は、上下に開口するガイドパイプと、そのガイドパイプ内に摺動自在に収納されるパイプ状の引き手杆と、その引き手杆の内部に所定の範囲で上下に移動自在に設けられる操作杆とを有し、前記引き手杆に、前記操作杆が軸方向に操作されたときに引き手杆の側面から突出する係合突起と、その係合突起を突出する方向に付勢する付勢手段とが設けられており、前記ガイドパイプに、前記引き手杆の下端がガイドパイプの下端から突出した状態で前記係合突起と係合する係合部が設けられていることを特徴としている。
【０００８】
このようなストッパ兼用引き手装置においては、前記操作杆の上端が引き手杆の上端の握り部の位置で操作できるように構成されているものが好ましい（請求項４）。
【０００９】
【作用および発明の効果】
本発明の引き手付きバッグ（請求項１）は、引き手杆を上向きに移動させた状態でバッグを引っ張ることができ、その状態で車輪がバッグ本体の重量を支持する。それによりバッグの搬送が容易である。そしてバッグを地面や床面に置くときは、バッグをまっすぐにすると、バッグの底面が地面などに接触する。なお、車輪が地面から離れる場合もある。その状態で引き手杆を押し下げ、ロック手段でロック状態を維持させる。それによりバッグは、バッグの底面と引き手杆の下端とで支えられ、車輪がある側に傾くように力が加えられても、転倒しない。
【００１０】
この状態からバッグを引っ張るときは、ロック解除手段によりロックを解除し、引き手杆の上端を握って引き上げる。この状態では引き手杆の下端がバッグの重量を支持していないが、使用者が引き手杆を握っているので、転倒のおそれはない。そしてその状態でバッグを傾け、車輪を地面などに充分に接触させてバッグの底面を地面などから離れるようにする。それにより前述のように引き手杆を引っ張ってバッグを楽に搬送することができる。
【００１１】
前記ロック解除手段が引き手杆の上端に操作部を備えている場合（請求項２）は、引き手杆の上端を握るときに容易に操作部でロック解除手段を操作することができる。したがってかがんだりしなくても、容易にロックを解除してバッグを引く動作に移ることができる。
【００１２】
本発明のストッパ兼用引き手装置（請求項３）は、引き手杆がガイドパイプに収容されるので、バッグに取り付ける前の状態でも取り扱いが容易である。そして操作杆を付勢手段の付勢力に抗して操作し、係合突起を引っ込ませると、ロックが解除されて引き手杆をガイドパイプから引っぱり出すことができる。引き手杆を押し下げるときは、係合突起が係合部にくると、付勢手段により突出し、係合部と係合する。そのため自動的にロックがかかる。このようにこのストッパ兼用引き手装置は、引き手杆の上下操作およびロック解除操作が容易であり、ロックする場合も容易であるので、取り扱いが簡単である。
【００１３】
このようなストッパ兼用引き手装置において、前記操作杆の上端が引き手杆の上端の握り部の位置で操作できるように構成されている場合（請求項４）は、引き手杆の上端を握った状態で容易にロック解除操作をすることができる。
【００１４】
【発明の実施の形態】
つぎに図面を参照しながら本発明の実施の形態を説明する。図１は本発明の引き手付きバッグをゴルフバッグに適用した場合の一実施形態を示す側面図、図２はそのゴルフバッグの引き手を延ばして走行している状態を示す側面図、図３ａは図１におけるストッパ兼用引き手装置の断面側面図、図３ｂは図３ａの要部拡大断面図、図４は図３ａのＩＶ−ＩＶ線断面図、図５ａおよび図５ｂはそれぞれ本発明のストッパ兼用引き手装置の他の実施形態を示す一部断面斜視図、図６および図７はそれぞれ本発明のストッパ兼用引き手装置のさらに他の実施形態を示す斜視図、図８は本発明に関わるロック機構の他の実施態様を示す要部断面図である。
【００１５】
図１に示す引き手付きのゴルフバッグ１０は、バッグ本体１１と、その背面側の下面に取り付けられた左右一対の車輪１２と、バッグ本体の背面側に取り付けられたストッパ兼用の引き手装置１３とを備えている。バッグ本体１１は従来公知のものと同じものであり、ゴルフクラブを収納する円筒状のクラブ収納部（ベルホーレン）１５と、その前後に設けた収納袋１６、１７と、前面上部に設けた提げ手１８と、背面に設けた背負いベルト１９などとから構成されている。
【００１６】
バッグ本体１１の背面側の下端には、車輪１２の軸が通されて回転自在に支持されている。このような車輪１２は、従来公知のキャリー付きバッグと同じものを使用することができる。なお車輪１２の位置は、ゴルフバッグ１０をまっすぐに立てたとき、バッグ本体１１の底面２０と車輪１２の下面がほぼ同じ程度、あるいはそれよりいくらか高い位置にあるのが好ましい。
【００１７】
前記ストッパ兼用の引き手装置１３は、図３ａに示すように、ガイドパイプ２１と、その中に摺動自在に収容される引き手杆２２と、その引き手杆２２を押し下げた状態で上下動を拘束するロック機構２３とを備えている。ガイドパイプ２１には、たとえば金属製の角パイプが用いられ、その上端および下端には、合成樹脂製の端末部材２４が取り付けられている。それらの端末部材２４の内面は引き手杆２２のガイドを兼ねている。さらにガイドパイプ２１の上端および下端の外面には、図４に示すように、ガイドパイプ２１をバッグ本体１１に取り付けるための取り付け部材２５が嵌合され、固定されている。
【００１８】
前記引き手杆２２は、たとえば金属製の角パイプから構成され、上端にグリップ２７が固定され、下端にゴム製の滑り止め２８が固定されている。なお、図１および図２では、引き手杆２２は二重のテレスコピック構造にしているが、図３では簡単のために一重にしている。なお、三重以上のテレスコピック構造とすることもできる。引き手杆２２の上下の外周にはガイドパイプ２１の端末部材２４と当接するストッパ片３０が嵌合されている。それらのストッパ片３０はガイドパイプ２１の内面と摺接するガイド作用を担わせるようにしてもよい。引き手杆２２の長さは、図３に示すように、下方向に押し下げたとき、引き手杆の下部２２ａがガイドパイプ２１の下端からかなり突出し、その下端がバッグ本体１１の底面２０と同程度まで延びる長さである。それにより引き手杆２２はゴルフバッグが倒れないように支えるストッパとして機能することができる。
【００１９】
前記ロック機構２３は図３ｂに詳細に示すように、引き手杆２２に軸３２によって回動自在に設けられるレバー３３と、そのレバーを操作する操作ロッド３４とを備えている。レバー３３は、上下方向に延びる基部３３ａと上端から外向きに突出する係合突起３３ｂと、基部の下端から係合突起とは逆方向に延びる操作片３３ｃとを有する。前記軸３２は基部３３ａの中央近辺を回動自在に支持している。係合突起３３ｂは引き手杆２２に形成した貫通孔２２ｂを貫通して、その先端が突出している。
【００２０】
操作ロッド３４の下端はレバー３３の操作片３３ｃに連結されており、上端は図３ａに示すように、グリップ２７の上端に出没自在に設けられる押しボタン３５に連結されている。さらに押しボタン３５は、引き手杆２２内に収容したバネ３６によって上向きに付勢されており、そのバネ３６の下端は引き手杆２２の内面に設けた突起などに係合させている。なお、バネは、レバー３３と引き手杆２２の内面との間に介在させるようにしてもよい。他方、ガイドパイプ２１の所定の高さの位置には、係合突起３３ｂと係合する貫通孔３７が形成されている。貫通孔に代えて、係合段部などであってもよい。
【００２１】
上記のように構成されるロック機構２３は、バネ３６の付勢力で操作ロッド３４が上向きに付勢され、それによりレバー３３は図３ｂの反時計方向に回転するように付勢される。そのため係合突起３３ｂは常時外向きに付勢される。そして引き手杆２２が上下に移動する間、係合突起３３ｂの先端はガイドパイプ２１の内面と摺接し、ガイドパイプ２１の貫通孔３７に来たとき、その貫通孔３７と係合する。それにより引き手杆２２はその位置にロックされる。
【００２２】
ついでグリップ２７の押しボタン３５を押し込むと、操作ロッド３４が押し下げられ、レバー３３が時計方向に回動する。それにより係合突起３３ｂは後退し、貫通孔３７との係合が解かれ、引き手杆２２が上下に移動自在となる。
【００２３】
つぎに図１および図２を参照して引き手杆２２のストッパとしての作用を説明する。ゴルフバッグ１０を地面４０に載置する場合は、引き手杆２２を図１の実線のように押し下げる。そのとき前述のようにロック機構が作動し、引き手杆２２をその押し下げられた状態に拘束する。したがってゴルフバッグ１０は、その底面２０で地面４０に載置されるか、あるいは底面２０と引き手杆２２の下端で支えられる。この状態では、ゴルフバッグ１０に矢印Ｐ方向の外力が加わっても、引き手杆２２の下端が支えるので倒れない。それによりストッパの機能が奏される。なお、仮にバッグの底面２０が地面４０から離れても、２個の車輪と引き手杆２２の下端の３個所で支えるので、倒れることがない。外力がなくなれば、再び底面２０あるいは底面と引き手杆２２の下端がゴルフバッグ１０を支持する。
【００２４】
つぎにゴルフバッグ１０を運ぶ場合は、使用者はまず引き手杆２２の上端のグリップ２７を把持する。ついで押しボタン３５を押してロックを解除し、引き手杆２２をを図１の想像線で示すように引き上げる。この状態では引き手杆２２はストッパの作用をしないが、使用者が引き手杆２２を把持しているので、倒れることはない。その状態で図２に示すようにゴルフバッグ１０を背面側（車輪側）に傾けると、車輪１２が地面４０と当接する。そのため使用者は引き手杆２２を手前側に引っ張って、あるいは前方に押してゴルフバッグ１０を走行させることができる。
【００２５】
上記のように、ガイドパイプ２１の下方に突出する引き手杆２２は、押し込んだ状態ではストッパの作用を奏し、引き上げると引き手として作用する。したがって走行の邪魔にならず、地面４０などに載置しておくときはストッパとしてゴルフバッグ１０の転倒を防止することができる。
【００２６】
前記実施形態では引き手杆２２は角パイプにより全体が一体にされているが、図５ａに示すように、従来と同じ長さの引き手杆２２の下端に脚部材４１をリベット４２などで固定して引き手杆２２を延長してもよい。また、図５ｂのように、引き手杆２２の全体を長いものに交換してもよい。引き手杆２２を押し込んだ状態にロックする機構を元々備えている引き手装置の場合は、このようにすることにより、容易に本発明の引き手装置に改造することができる。また、従来の引き手杆を備えたゴルフバッグを本発明の引き手付きバッグに容易に改造することができる。
【００２７】
前記実施形態ではガイドパイプおよび引き手杆はそれぞれ１本であるが、図６に示すように、左右一対のガイドパイプ２１と、それらにそれぞれ摺動自在に収容される一対の引き手杆２２とを組み合わせてもよい。このストッパ兼用の引き手装置４３では、一対の引き手杆２２の上端同士をグリップ２７で連結している。そのため、２本の引き手杆２２を一緒に上下に操作することができる。また、引き手杆２２の下端同士は連結片４４で連結している。それによりゴルフバッグ１０を確実に支えることができ、転倒防止作用が一層確実になる。さらに２本のガイドパイプ２１の上端同士および下端同士は、バッグ本体への取り付け部材４５で連結されている。そのため２本のガイドパイプ２１のバッグ本体への取り付けが一層確実になる。また、ガイドパイプ２２の平行度が維持されるので、引き手杆２２の摺動がスムーズである。
【００２８】
なお、図６の実施形態では、それぞれの引き手杆２２は外パイプ４６と、その内部に摺動自在に収容した内パイプ４７との２本の角パイプでテレスコピックに構成されている。それにより２段伸縮が可能である。このような二段伸縮の構造では、引き手杆２２のうち、外パイプ４６の下部あるいは内パイプ４７の下部のいずれをガイドパイプ２１の下端から突出させるようにしてもよい。その場合、突出させる側のパイプをガイドパイプ２１よりも突出させる分だけ長くする。前述の連結片４４は、それらの下端同士を連結させるようにする。また、グリップ２７は、内パイプ４７の上端同士を連結させる。そのため、グリップ２７でロック解除させる機構を採用する場合は、内パイプ４７にロック機構を組み込むほうが、構成が簡単になる。その場合のロック機構は、たとえば図３ｂのものと同じものを採用することができる。この場合、外パイプ４６にも係合突起３３ｂを貫通させる貫通孔を設ける。他の構成および作用効果は、図１などの場合と実質的に同じである。
【００２９】
図７に示すストッパ兼用の引き手杆装置５０は、ガイド部材２１の下端にバッグ５１を支持する枠体５２と、その枠体の前後左右に回転自在に取り付けられる４個１セットの車輪１２とが一つのユニットとして一体化されている。車輪１２は２個であってもよい。このものはバッグ類を支える枠体５２がしっかりとしているので、比較的大型のバッグ類を運ぶのに便利である。ガイドパイプ２１および引き手杆２２の作用効果は前述の場合と実質的に同じである。このように本発明の引き手付きバッグおよび引き手装置は、ゴルフバッグのほか、旅行鞄、スーツケースなど、種々のバッグ類に適用することができる。
【００３０】
図８に示すロック機構５４は、引き手杆２２の内部に、係合部材５５が引き手杆の中心軸に対して直角方向に移動自在に設けられている。そして係合部材５５の内面側には、係合部材を常時外向きに付勢するバネ５６が設けられている。また、係合部材５５の上面に先端にいくほど下がるテーパ面５７が設けられている。また、操作ロッド３４の下端には、係合部材５５のテーパ面５７と摺接するカム部材５８が設けられている。係合突起５５の外向きの側面には、引き手杆２２の貫通孔２２ｂを貫通してガイドパイプの係合部と係合する係合突起５５ａが設けられている。
【００３１】
このものも操作ロッド３４が押し下げられると、カム部材５８が係合部材５５のテーパ面５７と摺接して係合部材５５を後退させ、ロックを解除することができる。このように本発明で用いられるロック機構は、外部操作により引き手杆の位置を拘束するロック作用およびロック解除作用を奏するものであれば、いずれのタイプの機構も採用することができる。
【００３２】
また前記いずれの実施形態でも、ロック機構は引き手杆を下端に押し下げたときにロックするように構成しているが、さらに上端に引き上げたとき、あるいは中間位置でロックするように、ガイドパイプの貫通孔（図３ｂの符号３７参照）などの係合部の数を増やしてもよい。延ばしたときにロックできる場合は、引き手杆のグリップから手を離したときに、誤って引き手杆を押し込むことを防止することができる。また、中間位置でロックできるようにする場合は、手でバッグを提げる場合に引き手杆の下端が引っ込むので、邪魔にならない。また図６の２段伸縮式の引き手杆２２の場合は、内パイプ４７の外パイプ４６に対する上昇端、ならびに外パイプ４６のガイドパイプ２１に対する上昇端のそれぞれでロックできるように、個別のロック機構を設けるようにしてもよい。
【００３３】
前記実施形態ではガイドパイプがバッグ本体の背面側に設けられているが、バッグの内部に設けることもできる。その場合はバッグの上端に引き手杆の上部が通る貫通孔を設けると共に、底面には引き手杆の下部ないし脚が通る貫通孔を設けるようにする。また、引き手装置をバッグ本体に対して着脱自在とすることもできる。
【図面の簡単な説明】
【図１】本発明の引き手付きバッグをゴルフバッグに適用した場合の一実施形態を示す側面図である。
【図２】図１のゴルフバッグの引き手を延ばして走行している状態を示す側面図である。
【図３】図３ａは図１におけるストッパ兼用引き手装置の断面側面図、図３ｂは図３ａの要部拡大断面図である。
【図４】図３ａのＩＶ−ＩＶ線断面図である。
【図５】図５ａおよび図５ｂはそれぞれ本発明のストッパ兼用引き手装置の他の実施形態を示す一部断面斜視図である。
【図６】本発明のストッパ兼用引き手装置のさらに他の実施形態を示す斜視図である。
【図７】本発明のストッパ兼用引き手装置のさらに他の実施形態を示す斜視図である。
【図８】本発明に関わるロック機構の他の実施形態を示す要部断面図である。
【図９】図９ａは従来の引き手付きバッグの例を示す斜視図であり、図９ｂはその引き手装置をゴルフバッグに応用する場合の説明図である。
【符号の説明】
１０  ゴルフバッグ
１１  バッグ本体
１２  車輪
１３  ストッパ兼用の引き手装置
１５  クラブ収納部
１６、１７  収納袋
１８  提げ手
１９  背負いベルト
２０  底面
２１  ガイドパイプ
２２  引き手杆
２２ａ  引き手杆の下部
２２ｂ  貫通孔
２３  ロック機構
２４  端末部材
２５  取り付け部材
２７  グリップ
２８  滑り止め
３０  ストッパ片
３２  軸
３３  レバー
３３ａ  基部
３３ｂ  係合突起
３３ｃ  操作片
３４  操作ロッド
３５  押しボタン
３６  バネ
３７  貫通孔
４０  地面
４１  脚部材
４２  リベット
４３  ストッパ兼用の引き手装置
４４  連結片
４５  取り付け部材
４６  内パイプ
４７  外パイプ
５０  ストッパ兼用の引き手装置
５１  バッグ
５２  枠体
５４  ロック機構
５５  係合部材
５５ａ  係合突起
５６  バネ
５７  テーパ面
５８  カム部材
【図１】
2004223093.tif 000003
【図２】
2004223093.tif 000004
【図３】
2004223093.tif 000005
【図４】
2004223093.tif 000006
【図５】
2004223093.tif 000007
【図６】
2004223093.tif 000008
【図７】
2004223093.tif 000009
【図８】
2004223093.tif 000010
【図９】
2004223093.tif 000011